【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
商店等により提供される商品及び／又はサービスのユーザに対する希望販売価格又は希望販売率と、
該希望販売価格又は希望販売率に対して設定され、該商品及び／又はサービスの購入に対し使われ、若しくは他の商品及び／又はサービスの購入に対し使われる現金還元額又は還元率又はポイントと、
該現金還元額又は還元率又はポイントに相当する額等の一部若しくはすべてを蓄積する蓄積手段と、
該蓄積手段に対し入金又は出金自在とする入出金手段と、
該入出金手段により蓄積された金額及び／又は前記蓄積手段で蓄積された額等を前記商品及び／又はサービスの支払い代金の一部若しくは全部として使用する支払い手段とを備えたことを特徴とするネットシステム。
【手続補正２】
【補正対象書類名】明細書
【補正対象項目名】０００９
【補正方法】変更
【補正の内容】
【０００９】
このため本発明は、商品及び／又はサービスと、該商品及び／又はサービスを提供する複数の商店等と、該商店等により提供される前記商品及び／又はサービスのユーザに対する希望販売価格又は希望販売率と、前記商品及び／又はサービスのユーザによる購入金額又は購入率が前記希望販売価格又は希望販売率より低い金額又は販売率となるように前記ユーザとの間でネットを介した値段交渉を可能とする値段交渉手段と、該値段交渉手段で前記各商店等毎に値段交渉された結果がまとめてユーザに対し提供される値段交渉結果提供手段とを備えて構成した。
【手続補正３】
【補正対象書類名】明細書
【補正対象項目名】００１１
【補正方法】変更
【補正の内容】
【００１１】
また、本発明は、ユーザと、該ユーザが商店等より購入した商品及び／又はサービスと、該商品等について前記ユーザが支払った支払金額と、該支払金額を前記ユーザ毎に管理するデータベースと、前記支払金額の支払後、該支払金額より低い金額となるように前記ユーザとの間でネットを介して値引き交渉を行う値引き交渉手段と、該値引き交渉手段で値引き交渉された結果の決定額と前記支払金額との差額を算出する差額算出手段と、該差額算出手段で算出された差額を貯蓄する貯蓄手段とを備えて構成した。
【手続補正４】
【補正対象書類名】明細書
【補正対象項目名】００１３
【補正方法】変更
【補正の内容】
【００１３】
更に、本発明は、前記貯蓄手段には、前記値引き交渉手段での値引き交渉がされなかったときに予め設定された現金還元額分が貯蓄されることを特徴とする。
値引き交渉がユーザにより行われなかった場合であっても現金還元の処理がされるので、ユーザにとっては安心である。従って、本システム利用に伴い、商店等の売上増にもつながる。
【手続補正５】
【補正対象書類名】明細書
【補正対象項目名】００１４
【補正方法】変更
【補正の内容】
【００１４】
更に、本発明は、就職希望者の求職活動で使用される就職希望者個人の求職情報及び企業、商店等により提供される就職求人情報が登録されたデータベースと、該就職求人情報をＷｅｂ上で提供するセンターサーバーと、該センターサーバーにより提供される就職求人情報をネットを介して閲覧する就職希望者と、該就職希望者が前記企業、商店等との面接を希望する旨の意思表示を前記センターサーバーにする面接希望意思表示手段と、該面接希望意思表示手段で前記就職希望者から意思表示のあったとき前記就職希望者個人の求職情報の一部データを前記データベースより抽出して前記企業、商店等に送信する一部情報抽出送信手段と、該一部情報抽出送信手段により送信された前記就職希望者個人の求職情報の一部データを前記企業、商店等が見て、面接受諾の旨の意思表示を前記センターサーバーにする面接受諾意思表示手段と、該面接受諾意思表示手段で意思表示のあったとき前記就職希望者の求職情報の完全データを前記データベースより抽出して前記企業、商店等に送信する完全情報抽出送信手段とを備えて構成した。
【手続補正６】
【補正対象書類名】明細書
【補正対象項目名】００１７
【補正方法】変更
【補正の内容】
【００１７】
更に、本発明は、就職希望者の求職活動で使用される就職希望者個人の求職情報及び企業、商店等により提供される就職求人情報が登録されたデータベースと、該就職希望者個人の求職情報の抜粋をＷｅｂ上で提供するセンターサーバーと、該センターサーバーで提供される就職希望者個人の求職情報の抜粋をネットを介して検索及び／又は閲覧する企業、商店等と、該企業、商店等が前記就職希望者個人の求職情報の一部データを前記センターサーバーに対し要求する求職情報一部要求手段と、該求職情報一部要求手段で要求された前記就職希望者個人の求職情報の一部データを前記センターサーバーより抽出して提供する一部情報提供手段と、該一部情報提供手段で提供された前記就職希望者個人の求職情報の一部を見て、前記企業、商店等が面接希望の就職希望者を特定する面接希望者特定手段と、該面接希望者特定手段で特定された就職希望者が面接を受諾する旨を前記センターサーバーに対し、又は電子メールにより伝える面接受諾手段と、該面接受諾手段で面接の受諾がされたとき、前記就職希望者の求職情報の完全データを前記データベースより抽出して前記企業、商店等に送信する完全情報抽出送信手段とを備えて構成した。
【手続補正７】
【補正対象書類名】明細書
【補正対象項目名】００１９
【補正方法】変更
【補正の内容】
【００１９】
更に、本発明は、就職希望者の求職活動で使用される就職希望者個人の求職情報及び企業、商店等により提供される就職求人情報が登録されたデータベースと、該就職希望者個人の求職情報の内の一部データを少なくとも一人分提供するセンターサーバーと、該センターサーバーより提供される就職希望者個人の求職情報の一部データを見た前記企業、商店等が面接希望の就職希望者を前記センターサーバーに対し、又は電子メールにより特定する面接希望者特定手段と、該面接希望者特定手段で特定された就職希望者が前記センターサーバーに対し、又は電子メールにより面接を受諾する面接受諾手段と、該面接受諾手段で面接の受諾がされたとき、前記就職希望者の求職情報の完全データを前記データベースより抽出して前記企業、商店等に送信する完全情報抽出送信手段とを備えて構成した。
【手続補正８】
【補正対象書類名】明細書
【補正対象項目名】００２１
【補正方法】変更
【補正の内容】
【００２１】
更に、本発明は、前記企業、商店等が前記就職希望者の採用について意思表示する採用意思表示手段と、該採用意思表示手段での意思表示が所定期間内にされたか否かを判断する判断手段とを備えて構成した。
【手続補正９】
【補正対象書類名】明細書
【補正対象項目名】００２３
【補正方法】変更
【補正の内容】
【００２３】
更に、本発明（請求項１）は、商店等により提供される商品及び／又はサービスのユーザに対する希望販売価格又は希望販売率と、該希望販売価格又は希望販売率に対して設定され、該商品及び／又はサービスの購入に対し使われ、若しくは他の商品及び／又はサービスの購入に対し使われる現金還元額又は還元率又はポイントと、該現金還元額又は還元率又はポイントに相当する額等の一部若しくはすべてを蓄積する蓄積手段と、該蓄積手段に対し入金又は出金自在とする入出金手段と、該入出金手段により蓄積された金額及び／又は前記蓄積手段で蓄積された額等を前記商品及び／又はサービスの支払い代金の一部若しくは全部として使用する支払い手段とを備えて構成した。
【手続補正１０】
【補正対象書類名】明細書
【補正対象項目名】００２５
【補正方法】変更
【補正の内容】
【００２５】
更に、本発明は、前記蓄積手段を有する商品販売者と、該商品販売者とは別に蓄積手段を有し、該商品販売者が販売する商品を購入する商品購入者と、該商品購入者による商品の購入に基づき、該商品購入者の有する蓄積手段から商品代金の一部又はすべてが引き出され、前記商品販売者の有する蓄積手段に蓄積されることを特徴とする。
【手続補正１１】
【補正対象書類名】明細書
【補正対象項目名】００２９
【補正方法】変更
【補正の内容】
【００２９】
更に、本発明は、サーバーに保存され、通常販売にかかる通常販売データと、サーバーに保存され、該通常販売より安価に設定されるセール販売にかかるセール販売データと、セール開始日時を現在日時と比較するセール開始日時比較手段、及び／又は、セール終了日時を現在日時と比較するセール終了日時比較手段とを備え、前記セール開始日時比較手段の判断でセール開始日時が現在日時より後のとき、及び／又は、前記セール終了日時比較手段の判断でセール終了日時が現在日時より前のとき、前記通常販売データに基づき形成されたホームページがユーザの情報端末に提供され、前記セール開始日時比較手段の判断でセール開始日時が現在日時より先のとき、及び／又は、前記セール終了日時比較手段の判断でセール終了日時が現在日時より後のとき、前記セール販売データに基づき形成されたホームページがユーザの情報端末に提供されることを特徴とする。
【手続補正１２】
【補正対象書類名】明細書
【補正対象項目名】００３１
【補正方法】変更
【補正の内容】
【００３１】
更に、本発明は、ログインＩＤ、クレジットカード情報、情報処理装置固有の情報、バイオメトリクス情報若しくは該バイオメトリクス情報を基に生成された特徴データ、及び所定のロジックに従い生成されたシリアル番号のいずれか少なくとも一つをセンターサーバーのデータベースに登録する登録手段と、ホームページと、該ホームページに挿入された保護ソフトウェアの起動、情報処理装置固有の情報の取得、バイオメトリクス情報の取得及び所定のロジックに従い生成されるシリアル番号の取得のいずれか少なくとも一つを含む命令と、該命令に基づき取得された情報処理装置固有の情報、バイオメトリクス情報若しくは該バイオメトリクス情報を基に生成された特徴データ及びシリアル番号を送信するデータ送信手段と、該データ送信手段により送信されたデータをセンターサーバーにて受信するデータ受信手段と、該データ受信手段で受信されたデータを前記登録手段により登録されたデータと対比するデータ対比手段と、該データ対比手段による対比結果の一致を基に本人であると確認する本人確認手段とを備えて構成した。
【手続補正１３】
【補正対象書類名】明細書
【補正対象項目名】００３４
【補正方法】変更
【補正の内容】
【００３４】
更に、本発明は、ログインＩＤ、クレジットカード情報、情報処理装置固有の情報、及びバイオメトリクス情報若しくは該バイオメトリクス情報を基に生成された特徴データのいずれか少なくとも一つをセンターサーバーに送信する送信手段と、該送信手段で送信されたデータを受信する受信手段と、ログインＩＤ、クレジットカード情報、情報処理装置固有の情報、及びバイオメトリクス情報若しくは該バイオメトリクス情報を基に生成された特徴データのいずれか少なくとも一つに対し割り付けられセンターデータベースに保存されると共に前記情報処理装置にも保存される所定のキーと、ホームページと、該ホームページに挿入された保護ソフトウェアの起動、及び／又は、前記所定のキーの送信を含む命令と、該命令に基づき取得された前記所定のキーを前記情報処理装置より送信するキー送信手段と、該キー送信手段により送信された所定のキーをセンターサーバーにて受信する受信手段と、該受信手段で受信された所定のキーを前記センターデータベースに保存された所定のキーと対比するキー対比手段と、該キー対比手段による対比結果の一致を基に本人であると確認する本人確認手段とを備えて構成した。
【手続補正１４】
【補正対象書類名】明細書
【補正対象項目名】００３６
【補正方法】変更
【補正の内容】
【００３６】
更に、本発明は、前記情報処理装置固有の情報、及び／又は、バイオメトリクス情報若しくは該バイオメトリクス情報を基に生成された特徴データを保存するファイルと、前記命令に基づき取得されたデータと該ファイルに保存されたデータとを対比する対比手段とを前記情報処理装置に備えたことを特徴とする。